(57)【特許請求の範囲】
【請求項１】
着脱自在なバッテリィにより駆動され，かつ第１の処理と第２の処理とが可能な複合型電子装置の警告装置であり，
上記第１の処理と上記第２の処理とのうちどちらの処理を優先させるかをユーザ操作に応じて選択可能に設定するための優先処理設定手段，
上記バッテリィの電圧を検出する検出手段，および
上記優先処理設定手段により設定された優先処理の実行が不可能な電圧近傍となったことが上記検出手段により検出されたことにより警告する警告手段，
を備えた複合型電子装置の警告装置。
【請求項２】
上記優先処理設定手段により設定された優先処理を行うための使用時間に関する値を設定する設定手段をさらに備え，
上記警告手段が，上記設定手段により設定された使用時間に関する値の優先処理を実行するために必要な電源電圧の近傍となったことが上記検出手段により検出されたことにより警告するものである，
請求項１に記載の複合型電子装置の警告装置。
【請求項３】
上記優先処理設定手段により設定された優先処理の実行が不可能な電圧となったことが上記検出手段により検出されたことにより上記バッテリィによる電源の供給を停止する手段をさらに備えた請求項１に記載の複合型電子装置の警告装置。
【請求項４】
上記バッテリィによる電源の供給が停止されたときに，電源の供給を停止した理由を表示する表示手段をさらに備えた，請求項３に記載の複合型電子装置の警告装置。
【請求項５】
着脱自在なバッテリィにより駆動され，かつ第１の処理と第２の処理が可能な複合型電子装置の警告装置において，
上記第１の処理と上記第２の処理とのうちどちらの処理を優先させるかをユーザによる選択に応じて設定し，
上記バッテリィの電源電圧を検出し，
設定された優先処理の実行が不可能な電圧近傍となったことが検出されたことにより警告する，
複合型電子装置の警告方法。
【発明の詳細な説明】
【０００１】
【技術分野】
この発明は，着脱自在なバッテリィにより駆動され，かつ第１の処理と第２の処理とが可能な複合型電子装置の警告装置および方法に関する。
【０００２】
【発明の背景】
携帯可能な小型の電子装置は，バッテリィにより駆動されるのが一般的である。バッテリィの電圧が一定の電圧以下に低下すると電子装置の動作ができなくなる。電子装置の動作ができなくなるほどバッテリィの電圧が低下すると警告を発するものもある。
【０００３】
近年，複数の処理が可能な複合型電子装置が開発されている。複合型電子装置には，たとえば，携帯型情報機器の機能と携帯電話の機能との両方の機能をもつものがある。このような複合型電子装置では，携帯型情報機器の機能において消費される電力よりも携帯電話の機能において消費される電力の方が大きい。
【０００４】
バッテリィを消費したことにより，携帯型情報機器の機能を動作させることはできるが，携帯電話の機能を動作させることはできない，という事態が生じることがある。携帯電話として使用したいときに不便である。
【０００５】
このようなことは，携帯型情報機器の機能と携帯電話の機能との両方の機能をもつ複合型電子装置に限らず，ディジタル・カメラの機能と携帯型カセット・テープ・レコーダの機能をもつような他の複合型電子装置についても当てはまる。
【０００６】
【発明の開示】
この発明は，複合型電子機器において所望の機能を使用しようとするときにバッテリィ低下により使用できない，という事態を未然に防止することを目的とする。
【０００７】
この発明は，着脱自在なバッテリィにより駆動され，かつ第１の処理と第２の処理とが可能な複合型電子装置の警告装置であり，上記第１の処理と上記第２の処理とのうちどちらの処理を優先させるかを設定する優先処理設定手段，上記バッテリィの電圧を検出する検出手段，および上記優先処理設定手段により設定された優先処理の実行が不可能な電圧近傍となったことが上記検出手段により検出されたことにより警告する警告手段を備えていることを特徴とする。
【０００８】
この発明は，上記装置に適した方法も提供している。すなわち，この方法は，着脱自在なバッテリィにより駆動され，かつ第１の処理と第２の処理が可能な複合型電子装置の警告装置において，上記第１の処理と上記第２の処理とのうちどちらの処理を優先させるかを設定し，上記バッテリィの電源電圧を検出し，設定された優先処理の実行が不可能な電圧近傍となったことが検出されたことにより警告するものである。
【０００９】
この発明によると，上記第１の処理と上記第２の処理とのどちらの処理を優先させるかが設定される。また，上記バッテリィの電源電圧が検出される。設定された優先処理の実行が不可能な電圧近傍（優先処理の実行が不可能な電圧そのものであってもよい）となったことが検出されると警告が行われる。
【００１０】
警告されたことにより，ユーザは，設定された優先処理の実行が不可能な状態に近づいたことを知ることができる。必要に応じて，その優先処理を実行できるようにするために新しいバッテリィに変えることができる。優先処理についての実行が可能なように複合型電子装置を維持できる。
【００１１】
上記第１の処理，上記第２の処理には，携帯型情報機器としての処理，ディジタル・カメラとしての処理，カセット・テープ・レコーダとしての処理，時計としての処理，ＧＰＳ(glorbal posisionng system)としての処理，ＤＡＰ(digital audio player)としての処理などがある。
【００１２】
上記優先処理設定手段により設定された優先処理を行うための使用時間を設定する使用時間設定手段をさらに備えてもよい。この場合には，上記警告手段は，上記使用時間設定手段により設定された電源電圧の近傍となったことが上記検出手段により検出されたことにより警告することとなろう。
【００１３】
上記設定手段により設定された優先処理の実行が不可能な電圧となったことが上記検出手段により検出されたことにより上記バッテリィによる電源の供給を停止するようにしてもよい。
【００１４】
バッテリィの消費を抑えることができる。
【００１５】
【実施例の説明】
図１は，この発明の実施例を示すもので，ＤＡＰ(disital audio player)付きディジタル・スチル・カメラを正面から見た斜視図である。
【００１６】
ＤＡＰ付きディジタル・スチル・カメラは，ＤＡＰモードが設定されることにより，ＤＡＰとしての動作が行われ，カメラ・モードが設定されることにより，ディジタル・スチル・カメラとしての動作が行われるものである。ＤＡＰ付きディジタル・スチル・カメラは，着脱自在なバッテリィにより駆動される。
【００１７】
ＤＡＰ付きディジタル・スチル・カメラ１は，その正面のほぼ中央部分に撮像レンズ２が設けられている。カメラ１の正面の右上部には，光学ビューファインダ４およびストロボ５が形成されている。
【００１８】
ＤＡＰ付きディジタル・スチル・カメラ１の上面には，正面から見てその左端部にシャッタ・レリーズ・ボタン３が設けられている。カメラ１の上面においてシャッタ・レリーズ・ボタン３が設けられている一端部とは反対側の他端部には，電源スイッチ兼モード切替スイッチ６が設けられている。この電源スイッチ兼モード切替スイッチ６によりカメラ１の電源のオフ，カメラ・モードおよびＤＡＰモードの切替が行われる。カメラ・モードまたはＤＡＰモードが設定されることによりカメラ１の電源がオンとなる。カメラ・モードには再生モードと撮影モードとがある。
【００１９】
正面から見て，カメラ１の右側面には，イヤフォン・ジャック７およびメモリ・カードを挿入するための開口８が形成されている。
【００２０】
図２は，ＤＡＰ付きディジタル・スチル・カメラ１を背面から見た斜視図である。
【００２１】
光学ビューファインダ４の右側には，警告文を表示するための表示パネル９が設けられている。
【００２２】
表示パネル９の右側には操作スイッチ10が設けられている。操作スイッチ10はＤＡＰモードにおける各種指令と再生カメラ・モードにおける各種指令とをカメラに与えるために兼用される。操作スイッチ10は，その上部11，下部14，左部12および右部13が押下可能に形成されている。操作スイッチ10の上部11には，「再生」の文字が記載されている。操作スイッチ10の上部11は，ＤＡＰモードにおいて再生指令をカメラ１に与えるときにユーザによって押される。操作スイッチ10の下部14には「停止」の文字が記載されている。操作スイッチ10の下部14は，ＤＡＰモードにおいて停止指令をカメラ１に与えるときにユーザによって押される。操作スイッチ10の左部12には，左矢印の記号が記載されている。操作スイッチ10の左部12は，ＤＡＰモードおよび再生カメラ・モードにおける戻し指令をカメラ１に与えるときにユーザによって押される。操作スイッチ10の右部13には，右矢印の記号が記載されている。操作スイッチ10の右部13は，ＤＡＰモードおよび再生カメラ・モードにおける送り指令をカメラ１に与えるときにユーザによって押される。
【００２３】
カメラ１の背面のほぼ全面には，画像を表示するための表示画面17が形成されている。表示画面17の上側には，メニュー・スイッチ15および実行スイッチ16が設けられている。
【００２４】
図３は，ＤＡＰ付きディジタル・スチル・カメラ１の電気的構成を示すブロック図である。
【００２５】
カメラ１の全体の動作は，ＣＰＵ20によって統括される。ＣＰＵ20にはデータを一時的に記憶するためのメモリが内蔵されている。
【００２６】
着脱自在なバッテリィ43からの供給電圧は，電源制御回路42に与えられる。電源制御回路42からカメラ１を構成する各回路に電源が与えられる。電源制御回路42において，バッテリィ43の電圧が監視される。
【００２７】
上述した，操作スイッチ10等の押し下げを示す信号，シャッタ・レリーズ・ボタン２の押し下げを示す信号は，いずれもＣＰＵ20に入力する。
【００２８】
ストロボ５の発光は，ストロボ制御回路28によって制御される。
【００２９】
レンズ駆動回路24による撮像レンズ２の駆動，絞り制御回路25による絞り21の駆動，シャッタ駆動回路26によるシャッタ22の駆動および撮像ディバイス駆動回路23による撮像ディバイス23の駆動が，ＣＰＵ20によって制御される。
【００３０】
カメラ・モードが設定されていると，被写体像を表す光像が撮像レンズ２によってＣＣＤのような撮像ディバイス23上に結像する。被写体像を表す映像信号が撮像ディバイス23から出力される。撮像ディバイス23から出力された映像信号はアナログ信号処理回路31に入力し，ガンマ補正などの所定のアナログ信号処理が行われる。アナログ信号処理回路31から出力した映像信号は，アナログ／ディジタル変換回路32に入力し，ディジタル画像データに変換される。ディジタル画像データは，ディジタル信号処理回路33に入力する。
【００３１】
ディジタル画像データは，ディジタル信号処理回路33において白バランス調整などの所定のディジタル信号処理が行われる。ディジタル信号処理回路33から出力された画像データは，メモリ34および表示用信号処理回路35を介して表示ディバイス36に入力する。撮像した被写体像が表示ディバイス36の表示画面17（図２参照）に表示される。
【００３２】
シャッタ・レリーズ・ボタン３が押されると，ディジタル信号処理回路33から出力された画像データは，メモリ34に一時的に記憶される。ディジタル画像データは，メモリ34から読み出され，圧縮伸張回路37に入力する。圧縮伸張回路37において入力した画像データについてデータ圧縮処理が行われる。圧縮画像データは，メモリ・カード38に与えられ，記録される。
【００３３】
この実施例によるＤＡＰ付きディジタル・スチル・カメラ１は，画像データの再生も可能である。電源スイッチ兼モード切り替えスイッチ６により再生モードが設定されると，圧縮画像データがメモリ・カード38から読み出され，圧縮伸張回路37に入力する。圧縮画像データは，圧縮伸張回路37において，データ伸張処理が施される。データ伸張された画像データは，メモリ34および表示用信号処理回路35を介して表示ディバイス36に与えられる。メモリ・カード38に記録されている画像データによって表される画像が表示ディバイス36の表示画面17に表示される。
【００３４】
音データが記録されているメモリ・カード38がＤＡＰ付きディジタル・スチル・カメラ１に装着されると，メモリ・カード38に記録されている音データが読み出され，ＣＰＵ20に入力する。音データは，ＣＰＵ20においてデコード処理が施される。デコードされた音データは，ディジタル／アナログ変換回路39においてアナログ音声信号に変換される。アナログ音声信号がイヤフォン・ジャック７に与えられる。イヤフォン・ジャック７に差し込まれたイヤフォンから音声が出力される。
【００３５】
撮影（記録）カメラ・モードにおいて使用される回路は，ハッチングで示す回路以外の回路である。
【００３６】
また，再生カメラ・モードにおいて使用される回路は，図４のブロック図において示す回路以外の回路である。
【００３７】
これに対して，ＤＡＰモードにおいて使用される回路は，図５のブロック図においてハッチングで示す回路以外の回路である。
【００３８】
図３〜図５から分かるように，再生時のカメラ・モードで使用される回路の方がＤＡＰモードで使用される回路よりも多い。再生時のカメラ・モードでの消費電力の方がＤＡＰモードでの消費電力よりも多いこととなる。また撮影時のカメラ・モードで使用される回路の方が再生時のカメラ・モードで使用される回路よりも多い。撮影時のカメラ・モードでの消費電力の方がＤＡＰモードでの消費電力よりも多いこととなる。
【００３９】
図６は，ＤＡＰ付きディジタル・スチル・カメラ１の表示画面17の一例を示している。
【００４０】
メニュー・ボタン15が押されることにより，表示画面17に図５に示す画像が表示される。
【００４１】
表示画面17には，「カメラ・メニュー」が表示されている領域51，「ＤＡＰメニュー」が表示されている領域52，「バッテリィ優先」が表示されている領域53および「その他設定」が表示されている領域54が含まれている。
【００４２】
選択されている領域は，他の領域に比べて明るく点灯する（図６および後述する図７においてはハッチングで示す）。操作スイッチ10の左矢印部分12が押されることにより，点灯している領域の下の領域が点灯する。操作スイッチ10の右矢印部分13が押されることにより，点灯している領域の上の領域が点灯する。実行スイッチ16が押されると，点灯している領域についてのサブ・メニューが表示画面17に表示される（サブ・メニュー表示の設定）。
【００４３】
ＤＡＰ付きディジタル・スチル・カメラ１をカメラ・モードで使用するときに，カメラ・メニューについてのサブ・メニューが表示されるように設定される。ＤＡＰ付きディジタル・スチル・カメラ１をＤＡＰモードで使用するときには，ＤＡＰメニューについてのサブ・メニューが表示されるように設定される。同様に，バッテリィ優先で使用するときには，バッテリィ優先についてのサブ・メニューが表示されるように設定される。
【００４４】
この実施例によるディジタル・スチル・カメラ１においては，バッテリィ43の電圧を電源制御回路42において検出している。上述したように，ディジタル・スチル・カメラの動作における消費電力の方がＤＡＰの動作における消費電力の方よりも多い。このために，ＤＡＰの動作が可能な程度の容量がバッテリィ43に残っていてもディジタル・スチル・カメラの動作ができないことがある。この実施例によるディジタル・スチル・カメラ１においては，再生時のカメラ・モードにおけるしきい値電圧と撮影時のカメラ・モードにおけるしきい値電圧とＤＡＰモードにおけるしきい値電圧とを変えている。再生時のカメラ・モードの動作を優先させるときには，再生時のカメラ・モードにおいて動作可能なしきい値電圧以下となったことにより警告を行う。撮影時のカメラ・モードにおいて動作可能なしきい値電圧以下となったことにより警告を行う。ＤＡＰモードの動作を優先させるときには，ＤＡＰモードにおいて動作可能なしきい値電圧以下となったことにより警告を行う警告を行う。このように再生時のカメラ・モードにおけるしきい値電圧と撮影時のカメラ・モードにおけるしきい値電圧とＤＡＰモードにおけるしきい値電圧とを変えるためのモードがバッテリィ優先モードである。たとえば，領域53が点灯しているときに，実行スイッチ16が押されると，バッテリィ優先モードにおける設定のために，表示画面17は図７に示すように切り替わる。
【００４５】
サブ・メニュー60には，カメラ記録優先設定領域61，カメラ再生優先設定領域64およびＤＡＰ優先設定領域67が含まれている。
【００４６】
カメラ記録優先設定領域61には，チェック・ボックス62が含まれている。カメラ・モードにおいて，被写体像を表す画像データの記録が不可能となるしきい値電圧を設定するときには，チェック・ボックス62がユーザによってチェックされる。カメラ記録優先領域61の下には，カメラ・モードにおいて何枚の被写体像を記録したいかを表示する領域63がある。
【００４７】
カメラ再生優先設定領域64には，チェック・ボックス65が含まれている。カメラ・モードにおいて，画像の再生が不可能となるしきい値電圧を設定するときには，チェック・ボックス65がユーザによってチェックされる。カメラ再生優先領域64の下には，カメラ・モードにおける再生時間を表示する領域66がある。
【００４８】
ＤＡＰ優先領域67には，チェック・ボックス68が含まれている。ＤＡＰモードにおいて，音の再生が不可能となるしきい値電圧を設定するときに，チェック・ボックス68がユーザによってチェックされる。
【００４９】
具体的には，操作スイッチ10の右矢印13が押されると，チェックの記号69がチェック・ボックス62，65および68間を移動する。所望のチェック・ボックスにチェックの記号68があるときに，ユーザによって実行スイッチ16が押されることにより，所望のモードの設定が行われる。
【００５０】
チェック・ボックス62または65がチェックされたときには，それらの下の領域63の枚数入力またはチェック領域66の再生時間入力が可能となる。操作スイッチ10の右矢印13が押されると，領域63または66に表示される数字がインクレメントされ，左矢印12が押されると，領域63または66に表示される数字がデクレメントされる。実行スイッチ16が押されることにより，入力された数字が確定する。
【００５１】
図８は，バッテリィ優先モードの設定の処理手順を示すフローチャートである。
【００５２】
チェック・ボックス68がチェックされＤＡＰ優先モードが設定されると（ステップ71でＹＥＳ），ＤＡＰの動作に必要な警告電圧（しきい値電圧）およびＤＡＰでの動作が可能な電圧がそれぞれ設定される（ステップ72）。設定された警告電圧およびＤＡＰ動作可能電圧は，ＣＰＵ20内のメモリに一時的に記憶される。
【００５３】
チェック・ボックス62がチェックされカメラ記録優先モードが設定されると（ステップ73でＹＥＳ），上述したように，ユーザによって記録可能枚数が設定される（ステップ74）。設定された枚数がメモリ・カード38に記録可能な規定枚数以下かどうかが判定される（ステップ75）。規定枚数は，たとえば，カメラ１に装着可能なメモリ・カードの最大記録可能枚数である。設定された枚数が規定枚数以下であれば（ステップ75でＹＥＳ），設定された記録可能枚数を記録するために必要な電力にもとづいてその警告電圧およびカメラ記録可能電圧がそれぞれ算出される。算出された警告電圧およびカメラ記録可能電圧がＣＰＵ20内のメモリに一時的に記憶される（ステップ76）。
【００５４】
チェック・ボックス65がチェックされカメラ再生優先モードが設定されると（ステップ77でＹＥＳ），上述したように再生可能時間がユーザによって設定される（ステップ78）。設定された再生可能時間が規定時間以下かどうかが判定される（ステップ79）。規定時間は，たとえば，カメラ１に装着可能なメモリ・カードに記録可能な最大量の音データが再生する音の時間である。設定された再生可能時間が規定時間以下であれば（ステップ79でＹＥＳ），設定された再生可能時間の間，画像を再生するのに必要な電力にもとづいてその警告電圧およびカメラ再生可能電圧がそれぞれ算出される。算出された警告電圧およびカメラ再生可能電圧がＣＰＵ20内のメモリに一時的に記憶される（ステップ80）。
【００５５】
図９および図10は，ＤＡＰ機能付きディジタル・スチル・カメラにおいてＤＡＰモードが設定されたときの処理手順を示すフローチャートである。
【００５６】
上述したように，電源スイッチ兼モード切替スイッチ６によりＤＡＰモードが設定されると，この処理が開始する。
【００５７】
カメラに装着されたメモリ・カード８からメモリ・カード８に記録されている音データが読み出され，イヤフォン・ジャック７から音声信号が出力される（ステップ91）。また，電源制御回路42において一定時間ごとのバッテリィ43の電圧の監視が開始する（ステップ92）。
【００５８】
ＤＡＰ優先モードが設定されているかどうかが判定される（ステップ93）。ＤＡＰ優先モードが設定されていると（ステップ93でＹＥＳ），電源制御回路42によって検出されるバッテリィ43の電圧がＤＡＰ動作警告電圧（しきい値電圧）以上かどうかが判定される（ステップ94）。バッテリィ43の電圧がＤＡＰ動作警告電圧以下であれば（ステップ94でＮＯ），バッテリィ43の電圧がＤＡＰ動作可能電圧以上かどうかが確認される（ステップ95）。
【００５９】
バッテリィ43の電圧がＤＡＰ動作可能電圧以上であれば（ステップ95でＹＥＳ），音の再生をつづけるとバッテリィ43の容量が減少し，音の再生ができなくなるおそれがあるとして表示パネル９にその旨を表示する（ステップ96，警告表示）。バッテリィ43の電圧がＤＡＰ動作可能電圧以下となると，音の再生が停止する（ステップ104）。バッテリィ43の容量が少なくなったのでＤＡＰの動作を続行できない旨の理由が表示パネル９に表示される（ステップ105）。
【００６０】
ＤＡＰ確認モードが設定されていないと（ステップ93でＮＯ），カメラ記録優先モードが設定されているかどうかが判定される（ステップ97）。カメラ記録優先モードが設定されていると（ステップ97でＹＥＳ），電源制御回路42によって検出されるバッテリィ43の電圧が，カメラ記録優先モードにおいて設定された警告電圧以上の電圧かどうかが判定される（ステップ98）。バッテリィ43の電圧が警告電圧以下の電圧であると（ステップ98でＮＯ），次にバッテリィ43の電圧がカメラ記録優先モードで設定された記録可能枚数分の枚数の画像を記録するのに必要な電圧以上かどうかが確認される（ステップ99）。
【００６１】
バッテリィ43の電圧が記録可能枚数分の枚数の画像を記録するのに必要な電圧以上である場合には（ステップ99でＹＥＳ），音の再生をつづけるとバッテリィ43の容量が減少し，設定した記録可能枚数分の枚数の記録ができなくなるおそれがあるとして表示パネル９にその旨の警告が表示される（ステップ100）。バッテリィ43の電圧が記録可能枚数分の枚数の画像を記録するのに必要な電圧以下である場合には，音の再生が停止する（ステップ104）。バッテリィ43の容量が少なくなったのでＤＡＰの動作を続けると設定された記録可能枚数分の画像が記録できない旨の理由（図11参照）が表示パネル９に表示される（ステップ105）。さらに，ＤＡＰの動作を続行したい場合には，バッテリィ43が交換されることとなろう。
【００６２】
ＤＡＰ優先モードおよびカメラ記録優先モードのいずれも設定されていないと（ステップ93および97でいずれもＮＯ），カメラ再生優先モードが設定されていることとなる。電源制御回路42によって検出されるバッテリィ43の電圧が，カメラ再生優先モードにおいて設定された警告電圧以上の電圧かどうかが判定される（ステップ101）。バッテリィ43の電圧が警告電圧以下の電圧であると（ステップ101でＮＯ），次にバッテリィ43の電圧がカメラ再生優先モードで設定された再生時間の間，再生するのに必要な電圧以上かどうかが判定される（ステップ102）。
【００６３】
バッテリィ43の電圧が設定された再生時間の間，再生するのに必要な電圧以上である場合には（ステップ102でＹＥＳ），音の再生をつづけるとバッテリィ43の容量が減少し，設定した時間の間，再生ができなくなるおそれがあるとして表示パネル９にその旨の警告が表示される（ステップ103）。バッテリィ43の電圧が設定された時間の間，再生するのに必要な電圧以下である場合には，音の再生が停止する（ステップ104）。バッテリィ43の容量が少なくなったのでＤＡＰの動作を続けると設定された時間の間，画像再生できない旨の理由が表示パネル９に表示される（ステップ105）。
【００６４】
ＤＡＰモードにおいてＤＡＰの動作中であっても，あらかじめ設定された記録枚数の画像を記録または再生時間の間再生できるほどの電圧をバッテリィ43に残すことができるようになる。
【００６５】
上述の実施例においては，ＤＡＰモードにおける処理であったが，カメラ・モードにおける処理も同様に構成することができる。カメラ記録モードにおいて画像の記録（または撮影）中または，カメラ再生モードにおいて画像の再生中であれば，バッテリィが設定された警告電圧以下となることにより警告が行われ，また設定された動作可能電圧以下となることにより記録動作または再生動作が中止されよう。
【図面の簡単な説明】
【図１】ディジタル・スチル・カメラを正面から見た斜視図である。
【図２】ディジタル・スチル・カメラを背面から見た斜視図である。
【図３】ディジタル・スチル・カメラの電気的構成を示すブロック図である。
【図４】ディジタル・スチル・カメラの電気的構成を示すブロック図である。
【図５】ディジタル・スチル・カメラの電気的構成を示すブロック図である。
【図６】ディジタル・スチル・カメラの表示画面に表示される画像の一例を示している。
【図７】ディジタル・スチル・カメラの表示画面に表示される画像の一例を示している。
【図８】バッテリィ優先モードの処理手順を示すフローチャートである。
【図９】ＤＡＰモードの処理手順の一部を示すフローチャートである。
【図１０】ＤＡＰモードの処理手順の一部を示すフローチャートである。
【図１１】ディジタル・スチル・カメラの表示パネルに表示される文章の一例を示している。
【符号の説明】
１  ディジタル・スチル・カメラ
９，17  表示画面
10  操作スイッチ
15  メニュー・スイッチ
16  実行スイッチ
20  ＣＰＵ
23  撮像ディバイス
36  表示ディバイス
38  メモリ・カード
【図１】
0003825941.tif 000002
【図２】
0003825941.tif 000003
【図３】
0003825941.tif 000004
【図４】
0003825941.tif 000005
【図５】
0003825941.tif 000006
【図６】
0003825941.tif 000007
【図７】
0003825941.tif 000008
【図８】
0003825941.tif 000009
【図９】
0003825941.tif 000010
【図１０】
0003825941.tif 000011
【図１１】
0003825941.tif 000012